(57)【特許請求の範囲】
【請求項１】
建築構造物（５）に化粧板材（５０）を取り付けるために該化粧板材の背面（５１）に設けられた取付部（５５）に係止される係合部（１２,２２）と、上記建築構造物に取り付け固定されるべく延設された板状部（１８,２８）とを有する取付金具（１０,２０）にして、
上記化粧板材の取付部が、上記背面に長手横方向に沿って延在するフック溝（５６）により構成され、該フック溝が、上記背面に該板材の厚さ方向へ窪んで開口した入口溝部（５７）と、該入口溝部との間に係合顎部（５９）となる角部を形成するように入口溝部に対して略直交する方向へ屈曲されて該入口溝部から連続する係止溝部（５８）とからなり、
上記取付金具の係合部が、上記フック溝の入口溝部から挿入されて係止溝部へ差し込こまれるように、且つ上記フック溝の係合顎部に嵌合されるように屈曲成形されたフック部（１３,２３）と、その嵌合後に上記係合顎部とは反対側の入口溝部の溝壁面（５７Ａ）に沿って折り曲げられる舌状片（１６,２６）とから構成されていることを特徴とする建築用化粧板材の取付金具。
【請求項２】
ステンレス鋼板製である請求項１記載の建築用化粧板材の取付金具。
【請求項３】
上記フック部（１３,２３）は、化粧板材に噛込むことのできる噛込み爪（１５,２５）が先端部に形成されている請求項１記載の建築用化粧板材の取付金具。
【発明の詳細な説明】
【０００１】
【発明の属する技術分野】
本発明は、外装材の胴差や破風、鼻隠あるいは外壁パネルのジョイント部目隠しモール材、さらには内装材の回り縁や幅木のような建築用化粧板材の取付金具に関する。
【０００２】
【従来の技術】
上述のような建築用化粧板材を建築構造物に取り付ける際に使用する取付金具としては、図８〜図１０に示すようなアルミ成形品の金具１００が知られている。この取付金具１００は、矩形の基板部１０１の中央高さ位置より幾分下の位置において横方向に延在させてフック部１０２が突出成形されており、上端部中央には建物躯体５へのビス止めのためのビス穴１０９が形成されている。化粧板材５０は、窯業系材料で成形されているために比較的重いものであり、その金具取付部５５は、化粧板材の重量を十分に支持できるように板材背面５１の長手方向（板材の正面または背面から見て横方向）に形成したフック溝５６で構成している。このフック溝５６は、背面５１から板材の厚さ方向へ窪むように開口した入口溝部５７と、これに略直角に屈曲して連続した係止溝部５８とからなり、その屈曲角部に係合顎部５９が形成されて略Ｌ字状の横断面形状となっている。
【０００３】
この金具１００を化粧板材５０の取付部５５に取り付け固定する作業は、取付金具１００のフック部１０２を化粧板材背面５１の係合顎部５９に係合させると共に、それらの間および両者の係合部分に接着剤６０を介在させ、その接着剤６０が硬化することによって本来は完了するものである。そして、その硬化後に化粧板材５０と一体となった取付金具１００を建築構造物（例えば建物躯体）５へにビス止めして固定することになる。この建築構造物５への固定作業は、化粧板材５０の上端から出る取付金具１００の上端部１０８に形成されたビス穴１０９を利用してビス止めを行っていた。
【０００４】
ところが、実際には接着剤６０が完全に硬化するまでには時間がかかるために、接着剤の完全硬化を待たずとも建築構造物５への固定作業を行えるようにタッカーと呼ばれる釘様の止め具６５を用いて取付金具１００を化粧板材５０へ仮止めし、接着剤６０の硬化しない不安定な状態を補って上述の固定作業を行っていた。タッカーは、取付金具１００の基板部１０１の平坦部分から化粧板材５０の背面５１へ打ち付けられるが、アルミ製の金具１００は比較的柔らかいのでタッカーによる打ち抜きが可能であり、タッカーによる化粧板材５０への仮止めは安定していて効果的であった。
【０００５】
【発明が解決しようとする課題】
しかし、上述したような従来の取付金具１００の化粧板材取付部５５への固定作業では、接着剤６０が硬化する前にタッカー打ちをするために、その打ち付け時の衝撃等で金具１００が化粧板材５０に対して位置ズレを起こすことがあった。板材５０の高さ方向（縦方向）に金具１００がズレた場合は、板材５０を長手横方向に継ぎ足していくときに継ぎ目部分で段差が生じてしまい、美観を損なうことになる。また板材５０の長手横方向にズレた場合は、建築構造物５に対するビス止め位置が不揃いになり、極端にズレるとビス止めの相手材となる間柱（通常は一定ピッチで隔設される）等の下地材が無い位置に金具１００がくる場合も起こり得る等、位置決め上の問題が生じる。また、そのような問題を生む虞れのあるタッカー打ち自体、工場に比べて比較的作業条件の悪い現場施工の作業であり、手間のかかるもであった。また、例えばステンレス鋼板製の金具では、タッカー打ちできない場合も生じていた。
【０００６】
本発明は、上述のごとき従来の技術上の課題に鑑み、治具を用いた極く簡単な操作で容易に安定した化粧板材への取り付け固定が行え、また取付金具の化粧板材取付部への固定時は勿論のこと、建築構造物に対するビス止めにおいても位置ズレが生じず、化粧板材の建築構造物への整った取り付け固定ができる耐久性に優れた建築用化粧板材の取付金具を提供することを目的としている。
【０００７】
【課題を解決するための手段】
本発明に係る建築用化粧板材の取付金具は、上述のごとき従来の技術上の課題を解決し、上記目的を達成するために以下のような構成を備えている。即ち、建築構造物に化粧板材を取り付けるために該化粧板材の背面に設けられた取付部に係止される係合部と、上記建築構造物に取り付け固定されるべく延設された板状部とを有する取付金具にして、上記化粧板材の取付部が、上記背面に長手横方向に沿って延在するフック溝により構成され、該フック溝が、上記背面に該板材の厚さ方向へ窪んで開口した入口溝部と、該入口溝部との間に係合顎部となる角部を形成するように入口溝部に対して略直交する方向へ屈曲されて該入口溝部から連続する係止溝部とからなり、上記取付金具の係合部が、上記フック溝の入口溝部から挿入されて係止溝部へ差し込こまれるように、且つ上記フック溝の係合顎部に嵌合されるように屈曲成形されたフック部と、その嵌合後に上記係合顎部とは反対側の入口溝部の溝壁面に沿って折り曲げられる舌状片とから構成されている。
【０００８】
この取付金具は、ステンレス鋼板製とするのが好ましい。
【０００９】
上記フック部は、化粧板材に噛込むことができる噛込み爪を先端部に形成しているのが好ましい。噛込み爪は、先端部の中央に一個または両端に一個ずつ設けることができる。
【００１０】
【発明の実施形態】
図１は、本発明の第一実施形態に係る建築用化粧板材の取付金具の化粧板材取付部への固定作業を概説した部分側面図であり、図２〜図５は、同実施形態に係る建築用化粧板材の取付金具を示している。この取付金具１０は、耐久性に優れた矩形ステンレス鋼板の基板１１をプレス機械で金型を使用して打ち抜き成形され、例えば外壁の胴差として用いられる化粧板材５０を張り付けるのに使用されるものである。ステンレス鋼板は、耐久性に優れている他、雨水等の水の侵入が有っても錆の発生が無く、外壁や化粧板材５０を錆で汚すことが無い。
【００１１】
図１に示すように、取付金具１０は、化粧板材５０の背面５１に設けられた取付部５５に対して係合部１２において係止され、また建築構造物に対して板状部１８においてビス止めされるものである。他方、化粧板材５０は、従来技術で説明したものと同じもので、上下にほぼ対称な断面形状を有した窯業系材料の押出し成形品であり、その金具取付部５５が、背面５１の上下各端縁部に長手方向に沿って形成されたフック溝５６によって構成されている。このフック溝５６は、背面５１に板材の厚さ方向へ窪む状態で開口した幅広な入口溝部５７と、これに直交する方向へ屈曲されて入口溝部５７から連続する係止溝部５８とからなっている。入口溝部５７と係止溝部５８との間の角部には係合顎部５９が形成されて略Ｌ字状の横断面形状となっている。
【００１２】
図２〜図５に示すように、取付金具１０は、その係合部１２を矩形のステンレス基板１１のほぼ下半分において、その横方向に並んで上向きに屈曲成形された一対の幅広のフック部１３,１３と、それら一対のフック部１３,１３間のそれらの打ち抜き残部から上向きに形成された舌状片１６とから構成している。これらフック部１３,１３と舌状片１６との配列は、工業デザイン的にも機能やバランスで優れており、打ち抜きプレス加工時の切粉や切屑の発生量を最少限に留める。各フック部１３は、その高さ方向沿いの中心線に沿って補強リブ１４が一体にプレス成形されると共に、図５によく示すように、その外端部先端に噛込み爪１５が切り込み形成されている。また、取付金具１０は、化粧板材５０の上下各端縁から外へ出るように延設された板状部１８に、ビスＢを挿入できるビス穴１９が形成されている。ビスＢには、皿頭・セレーション付きリーマ・セルフドリルビスが使用できる。
【００１３】
次に、上述のように構成された取付金具１０を化粧板材の取付部５５へ固定する作業について説明する。まず取付金具１０のフック部１３,１３の内面に接着剤６０を塗布してこれらを化粧板材背面５１の幅広な入口溝部５７から係止溝部５８へ手で差し込む。このとき、フック部１３,１３の先端の噛込み爪１５が窯業系材料よりなる化粧板材に喰い込んでその係合を強固にすると共に取付金具１０が化粧板材５０に対して横方向左右へ移動するのを規制する。次いで、フック部１３,１３の底部外面と入口溝部５７の溝下壁面５７Ａとの間にテーパ工具ＴをハンマーＨで叩き込んで舌状片１６を折り曲げる。この舌状片１６は、係合顎部５９の下面に向かい合っている入口溝部５７の溝下壁面５７Ａに沿って折り曲げられ、ここに当接することによってフック部１３,１３が係止溝部５８から抜け出る方向への移動を規制し、確実にフック部１３,１３を固定する。この取付金具１０はステンレス鋼製なので、これらの打ち抜き加工や曲げ加工が可能であると共に十分な強度を発揮する。
【００１４】
フック部１３,１３は係合顎部５９に強固に嵌合されるが、それらフック部１３,１３に一体にプレス成形された補強リブ１４によってフック部１３,１３全体の弾性係数が高められており、その強い弾性力で係止作用は更に強めらている。これによって、取付金具１０の化粧板材５０に対する前後方向のガタつきは防止される。また、この強力な前後方向の係止作用に加えて、フック部１３,１３が入口溝部５７の溝上壁面５７Ｂへ当接され、一方では折り曲げられた舌状片１６が溝下壁面５７Ａへ押圧されているために上下方向におけるガタつき及び縦ズレも防止される。更に、上述の係止作用に加えて、フック部１３,１３は、その外端部先端に噛込み爪１５,１５を切り込み形成しているために化粧板材背面５１へ噛込み爪１５,１５が喰い込んでアンカー力を高めており、左右横方向におけるガタつき及び横ズレも防止される。
【００１５】
このように、取付金具１０は、ステンレス鋼板を使用しているために耐久性が大幅に改善され、治具を用いる極めて簡単な操作によって化粧板材５０への取り付け固定は安定し、且つ容易に行われる。また取付金具１０の化粧板材取付部５５への固定時は勿論、造建築構造物に対するビス止め時においても位置ズレが生じず、建築構造物に対して化粧板材を整った綺麗な取付状態に固定できる。即ち、接着剤６０の完全硬化を待たずとも、また従来のタッカー打ちを省いても、化粧板材５０に一体的に固定された取付金具１０は、その板状部１８のビス穴１９においてビスＢによって建築構造物に固定される。また接着剤６０が完全に硬化した後は、更に長期間に渡って安定した建築構造物への取り付け固定が確保されることになる。
【００１６】
図６は、本発明の第二実施形態に係る建築用化粧板材の取付金具を示しいる。この取付金具２０は、上述した第一実施形態に係る建築用化粧板材の取付金具と同じ用途に供せられるものであるが、相違点は、第一実施形態の取付金具が使用される化粧板材よりも若干薄手の化粧板材（第一実施形態のものより２ｍｍ薄い）に対して使用できるように構成されている。具体的には、上記第一実施形態に係る建築用化粧板と同じ外面レベルに揃えて取り付け固定できるように、長方形ステンレス基板２１の左右両端部に建築構造物に当接する台座２５,２５を折り曲げ形成する（化粧板材の薄くなった分の２ｍｍの高さに基板２１を迫り上げる）と共に、化粧板材の上下各端縁から外に出る板状部２８のビス穴２９を皿状に凹ませて、穴縁部２９Ａを台座２５,２５と同じレベルに合わせている。取付金具２０の他の構成については、図２〜図５に示した第一実施形態の取付金具１０と同じものである。
【００１７】
【発明の効果】
本発明に係る建築用化粧板材の取付金具によれば、金具のフック部は、化粧板材背面のフック溝に差し込まれて取付部の係合顎部に係止され、且つ金具の舌状片は、治具を用いて非常に簡単な操作で上記係合顎部の下面に向かい合っている入口溝部の溝壁面に沿って折り曲げられ、従って従来行っていたタッカー打ちを省いても、化粧板材取付部への取付金具の固定作業から建築構造物へのビス止め作業にかけて位置ズレを起こすこと無く、強固に取付金具は化粧板材取付部に固定され、化粧板材は建築構造物に整った綺麗な状態で固定されることになる。
【００１８】
取付金具は、ステンレス鋼板製とすることによって耐久性に優れるように、また雨水等の水の侵入が有っても錆の発生も無く、外壁や化粧板材を汚すことが無いようにできる。
【００１９】
また、フック部の先端部に噛込み爪を形成すると、噛込み爪は化粧板材背面へ喰い込んでアンカー力を高め、特に左右横方向におけるガタつき及び横ズレを防止することができる。
【図面の簡単な説明】
【図１】  本発明の第一実施形態に係る建築用化粧板材の取付金具の化粧板材取付部への固定作業を概説した部分側面図である。
【図２】  同実施例に係る建築用化粧板材の取付金具の正面図である。
【図３】  図２の取付金具の平面図である。
【図４】  図２の取付金具の側面図である。
【図５】  図４における同取付金具のＦ部の拡大図である。
【図６】  本発明の第二実施形態に係る建築用化粧板材の取付金具の正面図である。
【図７】  図６の取付金具の平面図である。
【図８】  従来の建築用化粧板材の取付金具を使用して化粧板材を建築構造物に取り付けた状態を示す縦断側面図である。
【図９】  図８に示した従来技術による取付金具の正面図である。
【図１０】  図９の取付金具の側面図である。
【符号の説明】
５      建築構造物
１０    取付金具
１１    基板
１２    係合部
１３    フック部
１４    リブ
１５    噛込み爪
１６    舌状片
１８    板状部
１９    ビス穴
２０    取付金具
２１    基板
２２    係合部
２３    フック部
２４    リブ
２５    噛込み爪
２６    舌状片
２８    板状部
２９    ビス穴
２９Ａ  穴縁部
５０    化粧板材
５１    背面
５５    取付部
５６    フック溝
５７    入口溝部
５７Ａ  係合顎部とは反対側の入口溝部の溝壁面
５７Ｂ  係合顎部と同じ側の入口溝部の溝壁面
５８    係止溝部
５９    係合顎部
【図１】
0003755954.tif 000002
【図２】
0003755954.tif 000003
【図３】
0003755954.tif 000004
【図４】
0003755954.tif 000005
【図５】
0003755954.tif 000006
【図６】
0003755954.tif 000007
【図７】
0003755954.tif 000008
【図８】
0003755954.tif 000009
【図９】
0003755954.tif 000010
【図１０】
0003755954.tif 000011